(57)【要約】【課題】サイリスタのゲート−カソード間に電圧検出センサーを接続することにより、ゲート−カソード間に電圧がある時は別の回路のサイリスタをＯＮにしないことで確実に回路の変更を可能とするサイリスタのターンオフを検出する方法を提供する。【解決手段】２つのサイリスタが逆並列に接続されている回路を変圧器に接続し、別の２つのサイリスタが逆並列に接続されている回路を変圧器に接続し、それら回路に制御回路が組み込まれており、各サイリスタのゲート−カソード間に電圧検出器を接続した回路で、いずれかの回路のサイリスタのゲート信号をＯＮにするかにより、変圧器の負荷への電力供給を断つことなく負荷電圧調整をおこない、一方の回路をＯＮからＯＦＦにして、別の回路をＯＦＦからＯＮに切替える際に、サイリスタのゲート信号をＯＦＦとし、電圧検出器の検出電圧が０Ｖとなったときに、制御回路がサイリスタのターンオフとして検出・判断して、別のサイリスタのゲート信号をＯＮにする構成である。【選択図】  図１
2008099468.tif 000002
【特許請求の範囲】
【請求項１】
変圧器のタップ切り替えをサイリスタを用いて行い、負荷への電力供給を断つことなく、負荷への供給電圧を調整する装置において、２つのサイリスタ１０、２０が逆並列に接続されている回路１を変圧器５０のタップＡに接続し、別の２つのサイリスタ３０、４０が逆並列に接続されている回路２を変圧器５０のタップＢに接続し、それら回路１及び回路２には少なくとも一つの制御回路が組み込まれており、各サイリスタのゲートＧ−カソードＫ間に電圧検出器１０１、２０１、３０１、４０１を少なくとも一つ接続した回路で、回路１のサイリスタ１０、２０のゲート信号をＯＮにするか、または、回路２のサイリスタ３０、４０のゲート信号をＯＮにするかにより、変圧器５０の負荷６０への電力供給を断つことなく負荷の電圧調整をおこない、回路１をＯＮ状態からＯＦＦ状態にして、回路２をＯＦＦ状態からＯＮ状態に切替える際に、サイリスタ１０、２０のゲート信号をＯＦＦとし、電圧検出器１０１、２０１の検出電圧が０Ｖとなったときに、前記制御回路がサイリスタのターンオフとして検出・判断して、サイリスタ３０、４０のゲート信号をＯＮにすることを特徴とするサイリスタのターンオフを検出する方法
【発明の詳細な説明】
【技術分野】
【０００１】
本発明は、サイリスタを使用する電気回路に関し、サイリスタのターンオフを瞬時に検出し、回路を変更することができるサイリスタのターンオフを検出する方法に関する。
【背景技術】
【０００２】
出願人は省電力変圧器に関する特許を取得している。例えば、昇降同圧自律切替装置付き省電力変圧器（特開平８−１９１５４２号公報参照）は、単相三線式又は二線式の単巻コイル型変圧器において、入力端子Ｒ、Ｔと接続した複数組の主コイルＬ１、Ｌ２及びＬ５、Ｌ６を単相内鉄形コア（９）に２回路相巻きし、これらの各回路の主コイルＬ２とＬ６との端部間に、前記コア（９）に巻いて相互に直列に接続された複数組の励磁コイルＬ３、Ｌ７及びＬ４、Ｌ８を、複数の組み合わせ結線によって接続すると共に、前記入力端子に接続された電圧センサーの検知した電圧値によって、オン、オフとなる複数組のサイリスタ（１、２、３、４、５、６、７、８、）を前記端部間及び各励磁コイル間に設け、これらの各組のサイリスタ（１、２、３、４、５、６、７、８）のオン、オフによって、前記端部間及び各励磁コイル間の一組又は複数組を接続あるいはカットし、入力電圧に対する出力電圧を無停電で昇圧、同圧、降圧する回路に自律的に切替自在とした構成を有している。
【０００３】
ところで、サイリスタが組み込まれる装置、例えば省電力変圧器等の装置は、上述した昇降同圧自律切替装置付き省電力変圧器のようにサイリスタに直接コイルとコイル間等に電圧センサーを接続して、電圧の検出を行い、入力電圧が設定電圧範囲外になったときに、回路を変更させる構造となっている。しかし、この構造では、サイリスタが組み込まれている回路を切り替える際にタイムラグが生じてしまい、切替を確実にするには複雑な制御が必要であった。
そこで、サイリスタが組み込まれた回路において、サイリスタがターンオフになった瞬間を簡単且つ確実にとらえることができる検出方法の開発が待たれていた。
【０００４】
【特許文献１】特開８−１９１５４２号
【発明の開示】
【発明が解決しようとする課題】
【０００５】
上記問題を解決するため、本発明に係るサイリスタのターンオフを検出する方法は、サイリスタのゲート−カソード間に電圧検出センサーを接続することにより、ゲート−カソード間に電圧がある時は別の回路のサイリスタをＯＮにしないことで確実に回路の変更を可能とするサイリスタのターンオフを検出する方法を提供する事を目的としている。
【課題を解決するための手段】
【０００６】
本発明に係るサイリスタのターンオフを検出する方法は、変圧器のタップ切り替えをサイリスタを用いて行い、負荷への電力供給を断つことなく、負荷への供給電圧を調整する装置において、２つのサイリスタ１０、２０が逆並列に接続されている回路１を変圧器５０のタップＡに接続し、別の２つのサイリスタ３０、４０が逆並列に接続されている回路２を変圧器５０のタップＢに接続し、それら回路１及び回路２には少なくとも一つの制御回路が組み込まれており、各サイリスタのゲート−カソード間に電圧検出器１０１、２０１、３０１、４０１を少なくとも一つ接続した回路で、回路１のサイリスタ１０、２０のゲート信号をＯＮにするか、または、回路２のサイリスタ３０、４０のゲート信号をＯＮにするかにより、変圧器５０の負荷６０への電力供給を断つことなく負荷の電圧調整をおこない、回路１をＯＮ状態からＯＦＦ状態にして、回路２をＯＦＦ状態からＯＮ状態に切替える際に、サイリスタ１０、２０のゲート信号をＯＦＦとし、電圧検出器１０１、２０１の検出電圧が０Ｖとなったときに、前記制御回路がサイリスタのターンオフとして検出・判断して、サイリスタ３０、４０のゲート信号をＯＮにする構成である。
【発明の効果】
【０００７】
以上詳述した通り、本発明に係るサイリスタのターンオフを検出する方法は、
１．任意のサイリスタのゲート−カソード間の電圧を電圧検出器により検出し、０Ｖである際に回路の切替を行うことにより、簡単な検出方法で確実に回路を変更できる方法を提供することができる。
【発明を実施するための最良の形態】
【０００８】
以下に、本発明に係るサイリスタのターンオフを検出する方法を図面に示す実施例により説明する。図１は本件発明のサイリスタのターンオフを検出する方法に関する回路図である。
本発明に係るサイリスタのターンオフを検出する方法は図１に示すような基本的な回路であるが、直流電源により電流を供給するインバータ装置のような、複雑な回路にも採用することができる。
図１の回路は、２つのサイリスタ１０、２０が逆並列に接続されている回路１と、別の２つのサイリスタ３０、４０が逆並列に接続されている回路２がそれぞれ変圧器５０のタップＡとタップＢに接続され、さらに制御回路７０が組み込まれて、電圧供給源８０が接続されている閉回路である。
変圧器５０は通常の変圧器で、タップＡとタップＢがあり、それぞれ回路１および回路２と接続しており、内部には一次巻線と、負荷が接続された２次巻線が設置されている。
制御回路７０は、電圧検出器１０１、２０１、３０１、４０１が測定した電圧を検出して、検出した電圧が０Ｖの時にサイリスタのターンオフと判断して自動的に別のゲート信号をＯＮにする回路である。電圧検出器１０１、２０１、３０１、４０１の測定データを検出するために、電圧検出器と直接接続している。
【０００９】
電圧検出器１０１、２０１、３０１、４０１は、それぞれのサイリスタ１０、２０、３０、４０のゲートＧとカソードＫ接続される。電圧検出器では、サイリスタのゲート−カソード間電圧を測定する。
図１では、全てのサイリスタのゲートと接点に電圧検出器が接続されている構成であり、少なくともいずれかのサイリスタに一つの電圧検出器を接続すればよいが、好ましくは全てのサイリスタに電圧検出器を接続することが望ましい。
回路１のサイリスタ１０、２０および回路２のサイリスタ３０、４０はそれぞれのゲート信号により、ＯＮ―ＯＦＦの制御がなされる。
【００１０】
まず、回路１を通して変圧器に電源を供給するには、ゲート信号1によりサイリスタのゲート・カソード間に電流を流し続ける。次に、回路１をＯＦＦし変圧器への電力を遮断することなく回路２をＯＮするには、ゲート信号１をＯＦＦし、ゲート信号２を、ＯＮするが、今まで電流が流れていたサイリスタ１０または、２０は、ゲート信号１をＯＦＦしても、サイリスタのゲート・アノード間の電圧の極性が反転するまで電流が流れ続ける。
この電流が流れ続けている間に、回路２をＯＮ（ゲート信号２をＯＮ）すると、変圧器５０のタップＡ，Ｂに同時に同じ電源が接続されることになるので、短絡となり大きな短絡電流が流れてしまう。
そこで、ゲート信号１をＯＦＦした後、サイリスタ１０,２０のゲート・カソード間電圧を制御回路７０が電圧検出器１０１、２０１により検出し、電圧が０Ｖとなるサイリスタのターンオフ状態を検出確認することにより、その瞬間にゲート信号２をＯＮとし、切り替えを確実に行える。
また、同様に、回路２のＯＮから、回路１のＯＮに切り替えるときは、サイリスタ３０,４０のゲート・カソード間電圧を制御回路７０が電圧検出器３０１、４０１により検出し電圧が０Ｖである事（サイリスタのターンオフ）を検出してからゲート信号１をＯＮする。
【００１１】
この実施例の回路を説明すると、それぞれの電圧検出器は、サイリスタのゲートＧと接点カソードＫに接続されている構成である。電圧供給源８０から電流を流すと、回路１若しくは回路２に電流が流れる構成であるが、この実施例では回路２に電流が流れていると仮定する。サイリスタの特性から、ゲート信号をＯＦＦしても、に電流が流れているサイリスタは、電流が流れ続ける。この時は、電流が流れているサイリスのゲートＧカソードＫ間に電圧が発生している状態である。この電圧を電圧検出器は検出しており、それぞれのサイリスタに対応して、電圧検出器１０１、２０１、３０１、４０１が検出を行っている。これは、サイリスタのアノード、カソード間に電流が流れている時（ターンオン時）には、サイリスタのゲート、カソード間に半導体のＰ−Ｎ接合による電圧降下（通常約０．５Ｖ程度）が必ず発生することに着目している。この実施例では、電圧検出器３０１と電圧検出器４０１は、回路２のサイリスタ３０、４０のゲートＧとカソードＫ間に接続し常に電圧検出を行っている。回路２に電流が流れている間にタップ切り替え指令がくると、制御回路７０は、まず、ゲート信号２を、ＯＦＦする。続いて、電圧検出器３０１、４０１の、検出値が０になるのを待ってから、回路１のサイリスタ１０、２０へ、ゲート信号１を送出し回路１のサイリスタに電流が流れるようにする。
【００１２】
従来の省電力変圧器は、電圧検出器をサイリスタのゲート−カソード間ではなく、回路内に直接接続していたため、完全に電流が流れていないと思われる時間を経過させてから回路を切替えないと突入電流によりサイリスタが破損してしまう問題があった。つまり、回路を切替える際に回路を放置して電流がなくなる時間を設定しなければならなかった。完全に電流が流れていないことを確認するのに、従来の省電力変圧器は、コイルに電圧検出器を接続しているため、サイリスタを流れる電流ではなく回路全体を流れる電流が完全に０Ｖにならないと、回路の切替えができなかった。しかし、本件発明では、サイリスタのゲートと回路に接続するように電圧検出器を設置するため、ゲート電圧が０Ｖのとき、すなわちサイリスタに電流が流れていないことを検出してから切替えが可能となっているため、回路を放置させる必要がなく、瞬時に回路を切替えることが可能となる。
【００１３】
本件発明は、図１に示すようにサイリスタのゲートと回路に電圧検出器を接続し、制御する方法であり、サイリスタのゲートと回路に電圧検出器を接続する構成であるため、サイリスタ１０、２０、３０、４０のいずれかのサイリスタに電圧検出器を接続しても、同じ効果が得られる。また、この実施例では簡単な回路図を用いたが、複雑な回路であっても、サイリスタのゲート−カソード間電圧を検出することにより、本発明を利用することができる。
【図面の簡単な説明】
【００１４】
【図１】本発明のサイリスタのターンオフを検出する方法に関連する回路図
【符号の説明】
【００１５】
１、２      ゲート信号
１０、２０、３０、４０  サイリスタ
１０１、２０１、３０１、４０１  電圧検出器
５０        変圧器
６０        負荷
７０        制御回路
８０        電圧供給源
【図１】
2008099468.tif 000003
【手続補正書】
【提出日】平成20年2月25日(2008.2.25)
【手続補正１】
【補正対象書類名】特許請求の範囲
【補正対象項目名】請求項１
【補正方法】変更
【補正の内容】
【請求項１】
変圧器のタップ切り替えをサイリスタを用いて行い、負荷への電力供給を断つことなく、負荷への供給電圧を調整する装置において、２つのサイリスタ１０、２０が逆並列に接続されている回路１１を変圧器５０のタップＡに接続し、別の２つのサイリスタ３０、４０が逆並列に接続されている回路１２を変圧器５０のタップＢに接続し、それら回路１１及び回路１２には少なくとも一つの制御回路が組み込まれており、各サイリスタのゲートＧ−カソードＫ間に電圧検出器１０１、２０１、３０１、４０１を少なくとも一つ接続した回路で、回路１１のサイリスタ１０、２０のゲート信号をＯＮにするか、または、回路１２のサイリスタ３０、４０のゲート信号をＯＮにするかにより、変圧器５０の負荷６０への電力供給を断つことなく負荷の電圧調整をおこない、回路１１をＯＮ状態からＯＦＦ状態にして、回路１２をＯＦＦ状態からＯＮ状態に切替える際に、サイリスタ１０、２０のゲート信号をＯＦＦとし、電圧検出器１０１、２０１の検出電圧が０Ｖとなったときに、前記制御回路がサイリスタのターンオフとして検出・判断して、サイリスタ３０、４０のゲート信号をＯＮにすることを特徴とするサイリスタのターンオフを検出する方法
【手続補正２】
【補正対象書類名】明細書
【補正対象項目名】全文
【補正方法】変更
【補正の内容】
【発明の詳細な説明】
【技術分野】
【０００１】
本発明は、サイリスタを使用する電気回路に関し、サイリスタのターンオフを瞬時に検出し、回路を変更することができるサイリスタのターンオフを検出する方法に関する。
【背景技術】
【０００２】
出願人は省電力変圧器に関する特許を取得している。例えば、昇降同圧自律切替装置付き省電力変圧器（特開平８−１９１５４２号公報参照）は、単相三線式又は二線式の単巻コイル型変圧器において、入力端子Ｒ、Ｔと接続した複数組の主コイルＬ１、Ｌ２及びＬ５、Ｌ６を単相内鉄形コア（９）に２回路相巻きし、これらの各回路の主コイルＬ２とＬ６との端部間に、前記コア（９）に巻いて相互に直列に接続された複数組の励磁コイルＬ３、Ｌ７及びＬ４、Ｌ８を、複数の組み合わせ結線によって接続すると共に、前記入力端子に接続された電圧センサーの検知した電圧値によって、オン、オフとなる複数組のサイリスタ（１、２、３、４、５、６、７、８、）を前記端部間及び各励磁コイル間に設け、これらの各組のサイリスタ（１、２、３、４、５、６、７、８）のオン、オフによって、前記端部間及び各励磁コイル間の一組又は複数組を接続あるいはカットし、入力電圧に対する出力電圧を無停電で昇圧、同圧、降圧する回路に自律的に切替自在とした構成を有している。
【０００３】
ところで、サイリスタが組み込まれる装置、例えば省電力変圧器等の装置は、上述した昇降同圧自律切替装置付き省電力変圧器のようにサイリスタに直接コイルとコイル間等に電圧センサーを接続して、電圧の検出を行い、入力電圧が設定電圧範囲外になったときに、回路を変更させる構造となっている。しかし、この構造では、サイリスタが組み込まれている回路を切り替える際にタイムラグが生じてしまい、切替を確実にするには複雑な制御が必要であった。
そこで、サイリスタが組み込まれた回路において、サイリスタがターンオフになった瞬間を簡単且つ確実にとらえることができる検出方法の開発が待たれていた。
【０００４】
【特許文献１】特開８−１９１５４２号
【発明の開示】
【発明が解決しようとする課題】
【０００５】
上記問題を解決するため、本発明に係るサイリスタのターンオフを検出する方法は、サイリスタのゲート−カソード間に電圧検出センサーを接続することにより、ゲート−カソード間に電圧がある時は別の回路のサイリスタをＯＮにしないことで確実に回路の変更を可能とするサイリスタのターンオフを検出する方法を提供する事を目的としている。
【課題を解決するための手段】
【０００６】
本発明に係るサイリスタのターンオフを検出する方法は、変圧器のタップ切り替えをサイリスタを用いて行い、負荷への電力供給を断つことなく、負荷への供給電圧を調整する装置において、２つのサイリスタ１０、２０が逆並列に接続されている回路１１を変圧器５０のタップＡに接続し、別の２つのサイリスタ３０、４０が逆並列に接続されている回路１２を変圧器５０のタップＢに接続し、それら回路１１及び回路１２には少なくとも一つの制御回路が組み込まれており、各サイリスタのゲート−カソード間に電圧検出器１０１、２０１、３０１、４０１を少なくとも一つ接続した回路で、回路１１のサイリスタ１０、２０のゲート信号をＯＮにするか、または、回路１２のサイリスタ３０、４０のゲート信号をＯＮにするかにより、変圧器５０の負荷６０への電力供給を断つことなく負荷の電圧調整をおこない、回路１１をＯＮ状態からＯＦＦ状態にして、回路１２をＯＦＦ状態からＯＮ状態に切替える際に、サイリスタ１０、２０のゲート信号をＯＦＦとし、電圧検出器１０１、２０１の検出電圧が０Ｖとなったときに、前記制御回路がサイリスタのターンオフとして検出・判断して、サイリスタ３０、４０のゲート信号をＯＮにする構成である。
【発明の効果】
【０００７】
以上詳述した通り、本発明に係るサイリスタのターンオフを検出する方法は、
１．任意のサイリスタのゲート−カソード間の電圧を電圧検出器により検出し、０Ｖである際に回路の切替を行うことにより、簡単な検出方法で確実に回路を変更できる方法を提供することができる。
【発明を実施するための最良の形態】
【０００８】
以下に、本発明に係るサイリスタのターンオフを検出する方法を図面に示す実施例により説明する。図１は本件発明のサイリスタのターンオフを検出する方法に関する回路図である。
本発明に係るサイリスタのターンオフを検出する方法は図１に示すような基本的な回路であるが、直流電源により電流を供給するインバータ装置のような、複雑な回路にも採用することができる。
図１の回路は、２つのサイリスタ１０、２０が逆並列に接続されている回路１１と、別の２つのサイリスタ３０、４０が逆並列に接続されている回路１２がそれぞれ変圧器５０のタップＡとタップＢに接続され、さらに制御回路７０が組み込まれて、電圧供給源８０が接続されている閉回路である。
変圧器５０は通常の変圧器で、タップＡとタップＢがあり、それぞれ回路１１および回路１２と接続しており、内部には一次巻線と、負荷が接続された２次巻線が設置されている。
制御回路７０は、電圧検出器１０１、２０１、３０１、４０１が測定した電圧を検出して、検出した電圧が０Ｖの時にサイリスタのターンオフと判断して自動的に別のゲート信号をＯＮにする回路である。電圧検出器１０１、２０１、３０１、４０１の測定データを検出するために、電圧検出器と直接接続している。
【０００９】
電圧検出器１０１、２０１、３０１、４０１は、それぞれのサイリスタ１０、２０、３０、４０のゲートＧとカソードＫに接続される。電圧検出器では、サイリスタのゲート−カソード間電圧を測定する。
図１では、全てのサイリスタのゲートと接点に電圧検出器が接続されている構成であり、少なくともいずれかのサイリスタに一つの電圧検出器を接続すればよいが、好ましくは全てのサイリスタに電圧検出器を接続することが望ましい。
回路１１のサイリスタ１０、２０および回路１２のサイリスタ３０、４０はそれぞれのゲート信号により、ＯＮ―ＯＦＦの制御がなされる。
【００１０】
まず、回路１１を通して変圧器に電源を供給するには、ゲート信号１によりサイリスタのゲート・カソード間に電流を流し続ける。次に、回路１１をＯＦＦし変圧器への電力を遮断することなく回路１２をＯＮするには、ゲート信号１をＯＦＦし、ゲート信号２を、ＯＮするが、今まで電流が流れていたサイリスタ１０または、２０は、ゲート信号１をＯＦＦしても、サイリスタのアノード・カソード間の電圧の極性が反転するまで電流が流れ続ける。
この電流が流れ続けている間に、回路１２をＯＮ（ゲート信号２をＯＮ）すると、変圧器５０のタップＡ，Ｂに同時に同じ電源が接続されることになるので、短絡となり大きな短絡電流が流れてしまう。
そこで、ゲート信号１をＯＦＦした後、サイリスタ１０，２０のゲート・カソード間電圧を制御回路７０が電圧検出器１０１、２０１により電圧が０Ｖであることを検出することにより、サイリスタのターンオフ状態を検出し、電圧が０Ｖになった瞬間にゲート信号２をＯＮとし、切り替えを確実に行える。
また、同様に、回路１２のＯＮから、回路１１のＯＮに切り替えるときは、サイリスタ３０，４０のゲート・カソード間電圧を制御回路７０が電圧検出器３０１、４０１により検出し電圧が０Ｖである事（サイリスタのターンオフ）を検出してからゲート信号１をＯＮする。
【００１１】
この実施例の回路を説明すると、それぞれの電圧検出器は、サイリスタのゲートＧとカソードＫに接続されている構成である。電圧供給源８０から電流を流すと、回路１１若しくは回路１２に電流が流れる構成であるが、この説明では回路１２に電流が流れていると仮定する。サイリスタの特性から、ゲート信号をＯＦＦしても、電流が流れているサイリスタは、電流が流れ続ける。この時は、電流が流れているサイリスタのゲートＧカソードＫ間に電圧が発生している状態である。この電圧を電圧検出器は検出しており、それぞれのサイリスタに対応して、電圧検出器１０１、２０１、３０１、４０１が検出を行っている。これは、サイリスタのアノード、カソード間に電流が流れている時（ターンオン時）には、サイリスタのゲート、カソード間に半導体のＰ−Ｎ接合による電圧降下（通常約０．５Ｖ程度）が必ず発生することに着目している。この実施例では、電圧検出器３０１と電圧検出器４０１は、回路１２のサイリスタ３０、４０のゲートＧとカソードＫ間に接続し常に電圧検出を行っている。回路１２に電流が流れている間にタップ切り替え指令がくると、制御回路７０は、まず、ゲート信号２を、ＯＦＦする。続いて、電圧検出器３０１、４０１の、検出値が０になるのを待ってから、回路１１のサイリスタ１０、２０へ、ゲート信号１を送出し回路１１のサイリスタに電流が流れるようにする。
【００１２】
従来の省電力変圧器は、電圧検出器をサイリスタのゲート−カソード間ではなく、回路内に直接接続していたため、完全に電流が流れていないと思われる時間を経過させてから回路を切替えないと突入電流によりサイリスタが破損してしまう問題があった。つまり、回路を切替える際に回路を放置して電流がなくなる時間を設定しなければならなかった。完全に電流が流れていないことを確認するのに、従来の省電力変圧器は、コイルに電圧検出器を接続しているため、サイリスタを流れる電流ではなく回路全体を流れる電流が完全に０にならないと、回路の切替えができなかった。しかし、本件発明では、サイリスタのゲートとカソードに接続するように電圧検出器を設置するため、ゲート電圧が０Ｖのとき、すなわちサイリスタに電流が流れていないことを検出してから切替えが可能となっているため、回路を放置させる必要がなく、瞬時に回路を切替えることが可能となる。
【００１３】
本件発明は、図１に示すようにサイリスタのゲートと回路に電圧検出器を接続し、制御する方法であり、サイリスタのゲートと回路に電圧検出器を接続する構成であるため、サイリスタ１０、２０、３０、４０のいずれかのサイリスタに電圧検出器を接続しても、同じ効果が得られる。また、この実施例では簡単な回路図を用いたが、複雑な回路であっても、サイリスタのゲート−カソード間電圧を検出することにより、本発明を利用することができる。
【図面の簡単な説明】
【００１４】
【図１】本発明のサイリスタのターンオフを検出する方法に関連する回路図
【符号の説明】
【００１５】
１、２      ゲート信号
１１、１２  回路
１０、２０、３０、４０  サイリスタ
１０１、２０１、３０１、４０１  電圧検出器
５０        変圧器
６０        負荷
７０        制御回路
８０        電圧供給源
【手続補正３】
【補正対象書類名】図面
【補正対象項目名】図１
【補正方法】変更
【補正の内容】
【図１】
2008099468.tif 000004